(57)【特許請求の範囲】
【請求項１】
設置位置変更可能な機体に支持された分解処理槽と、阻集器内の廃水を廃水搬送部材を介して吸引して分解処理槽に送る廃水吸引機構と、分解処理槽内に好気性の油脂分解微生物を供給する微生物供給機構と、分解処理槽内の微生物に空気を供給するばっき機構と、分解処理槽内を加熱する加熱機構と、分解処理槽から処理後の廃水を処理水搬送部材を介して阻集器に戻す処理水戻し機構とを有しており、
前記廃水吸引機構は、廃水搬送部材を連結した分解処理槽の上部空間から空気を吸引してその空気をばっき機構の空気供給管及び阻集器の排水管に送風する空気循環手段を有し、この空気循環手段は前記ばっき機構の空気供給管を優先側とする流量優先弁を有することを特徴とする廃水浄化装置。
【請求項２】
移動可能な機体に支持されていて阻集器の貯水容量より容量大の分解処理槽と、機体に支持されていて脱水後の廃水を分解処理槽に送る脱水機構と、阻集器内の廃水を廃水搬送部材を介して吸引して脱水機構に送る廃水吸引機構と、阻集器貯水容量相当分の油脂を分解するだけの量の好気性の微生物を分解処理槽内に定量供給する微生物供給機構と、分解処理槽内の微生物に空気を供給するばっき機構と、分解処理槽内の廃水を加熱する加熱機構と、分解処理槽から処理後の廃水を処理水搬送部材を介して阻集器に戻す処理水戻し機構とを有しており、
前記廃水吸引機構は、脱水機構から空気を吸引してその空気をばっき機構の空気供給管及び阻集器の排水管に送風する空気循環手段を有し、この空気循環手段は前記ばっき機構の空気供給管を優先側とする流量優先弁を有しており、
前記微生物供給機構は、微生物を貯溜していて分解処理槽内に上部から供給可能なタンクと、このタンクに連通管を介して連通するとともに分解処理槽内及び前記タンクに微生物を供給可能な予備タンクとを有し、前記空気循環手段は分解処理槽内に上部から微生物を供給する前記タンクから空気を吸引可能になっていることを特徴とする廃水浄化装置。
【請求項３】
前記微生物供給機構はばっき機構の空気供給管に接続されていて、空気供給管を流れる空気によって分解処理槽内へ微生物を供給するエジェクタ手段を有することを特徴とする請求項１又は２に記載の廃水浄化装置。
【請求項４】
前記微生物供給機構は分解処理槽の上部外面に装着されたタンクを有し、このタンクは上部から微生物を補給可能であり、下部から制御弁付き供給管を介して分解処理槽内へ微生物を供給可能になっていることを特徴とする請求項１〜３のいずれかに記載の廃水浄化装置。
【発明の詳細な説明】
【０００１】
【発明の属する技術分野】
本発明は、阻集器内の油脂含有廃水を微生物で分解浄化する廃水浄化装置に関する。
【０００２】
【従来の技術】
この種の廃水浄化装置としては、阻集器内に油脂分離微生物を着生させる微生物担体及びばっき用空気の供給具を備えたもの（特開平４−１７９７４５号公報）、ストレーナを備えた廃水受入室と、微生物着床部材及びばっき用空気の供給具を有する油脂分解室とを備えた定置式のもの（特開平８−２２９５８３号公報）等があり、いずれも定置式で廃水箇所毎に設置しておく必要がある構造となっている。
【０００３】
【発明が解決しようとする課題】
前記従来技術は定置式であるために、定置場所を必要とし、コストが高くなり、汎用利用ができなくなっている。
これは、従来技術で使用されている微生物の処理能力に原因するものであり、従来の微生物は、高濃度の油脂を含む廃水、あるいは油脂そのものを迅速に処理することが困難であり、そのため、阻集器内で又は定置油脂分離室で長時間をかけて分解処理する必要があった。
【０００４】
しかしながら、その後、特許第２７８７０１５号に開示されているように、ブルクホルデリア（Ｂｕｒｋｈｏｌｄｅｒｉａ）属に属し、かつ高温で、好気的に樹脂を資化するブルクホルデリア・セパシア（Ｂｕｒｋｈｏｌｄｅｒｉａ  ｃｅｐａｄｉａ）が研究開発され、高濃度の油脂でも迅速に処理ができるようになっている。
本発明は、このような従来技術に鑑み、定置場所を必要とせず、安価でかつ汎用利用ができる廃水浄化装置を提供することを目的とする。
【０００５】
本発明は、機体を設置位置変更可能にし、この機体に分解処理槽を支持し、かつ廃水吸引機構、微生物供給機構、ばっき機構、加熱機構及び処理水戻し機構等を設けて、１箇所だけでなく、別位置にある阻集器の油脂含有廃水も１台の装置で分解浄化することができるようにした廃水浄化装置を提供することを目的とする。
【０００６】
【課題を解決するための手段】
本発明における課題解決のための具体的手段は次の通りである。
第１に、設置位置変更可能な機体に支持された分解処理槽と、阻集器内の廃水を廃水搬送部材を介して吸引して分解処理槽に送る廃水吸引機構と、分解処理槽内に好気性の油脂分解微生物を供給する微生物供給機構と、分解処理槽内の微生物に空気を供給するばっき機構と、分解処理槽内を加熱する加熱機構と、分解処理槽から処理後の廃水を処理水搬送部材を介して阻集器に戻す処理水戻し機構とを有しており、
前記廃水吸引機構は、廃水搬送部材を連結した分解処理槽の上部空間から空気を吸引してその空気をばっき機構の空気供給管及び阻集器の排水管に送風する空気循環手段を有し、この空気循環手段は前記ばっき機構の空気供給管を優先側とする流量優先弁を有することを特徴とする。
【０００７】
第２に、移動可能な機体に支持されていて阻集器の貯水容量より容量大の分解処理槽と、機体に支持されていて脱水後の廃水を分解処理槽に送る脱水機構と、阻集器内の廃水を廃水搬送部材を介して吸引して脱水機構に送る廃水吸引機構と、阻集器貯水容量相当分の油脂を分解するだけの量の好気性の微生物を分解処理槽内に定量供給する微生物供給機構と、分解処理槽内の微生物に空気を供給するばっき機構と、分解処理槽内の廃水を加熱する加熱機構と、分解処理槽から処理後の廃水を処理水搬送部材を介して阻集器に戻す処理水戻し機構とを有しており、
前記廃水吸引機構は、脱水機構から空気を吸引してその空気をばっき機構の空気供給管及び阻集器の排水管に送風する空気循環手段を有し、この空気循環手段は前記ばっき機構の空気供給管を優先側とする流量優先弁を有しており、
前記微生物供給機構は、微生物を貯溜していて分解処理槽内に上部から供給可能なタンクと、このタンクに連通管を介して連通するとともに分解処理槽内及び前記タンクに微生物を供給可能な予備タンクとを有し、前記空気循環手段は分解処理槽内に上部から微生物を供給する前記タンクから空気を吸引可能になっていることを特徴とする。
【０００８】
第３に、前記微生物供給機構はばっき機構の空気供給管に接続されていて、空気供給管を流れる空気によって分解処理槽内へ微生物を供給するエジェクタ手段を有することを特徴とする。
第４に、前記微生物供給機構は分解処理槽の上部外面に装着されたタンクを有し、このタンクは上部から微生物を補給可能であり、下部から制御弁付き供給管を介して分解処理槽内へ微生物を供給可能になっていることを特徴とする。
本発明は次のような特徴を有する。
【０００９】
設置位置変更可能な機体２に支持された分解処理槽３と、阻集器４内の廃水を廃水搬送部材５を介して吸引して分解処理槽３に送る廃水吸引機構６と、分解処理槽３内に好気性の油脂分解微生物を供給する微生物供給機構７と、分解処理槽３内の微生物に空気を供給するばっき機構８と、分解処理槽３内を加熱する加熱機構９と、分解処理槽３から処理後の廃水を処理水搬送部材１０を介して阻集器４に戻す処理水戻し機構１１とを有することである。
これによって、定置場所を必要とせず、１箇所だけでなく、別位置にある阻集器４の油脂含有廃水も１台の装置で分解浄化することができる。
【００１０】
前記機体２の下部に車輪１３を設けて移動可能にし、前記廃水吸引機構６の廃水搬送部材５及び処理水戻し機構１１の処理水搬送部材１０を分解処理槽３に連結して阻集器４まで延長可能にしていることである。
これによって、機体２を押し動かして、廃水処理する阻集器４の設置位置まで移動できる。
前記廃水吸引機構６は廃水搬送部材５を連結した分解処理槽３の上部空間を負圧にする真空ポンプ１４を有し、この真空ポンプ１４の吐出空気を阻集器４の排水管１５又はばっき機構８の少なくとも一方に送風する空気循環手段１６を有することである。
【００１１】
これによって、真空ポンプ１４を廃水吸引機構６の廃水吸引だけでなく、阻集器４の排水管１５の清掃、ばっき機構８の空気供給等に利用できる。
移動可能な機体２に支持されていて阻集器４の貯水容量より容量大の分解処理槽３と、機体２に支持されていて脱水後の廃水を分解処理槽３に送る脱水機構１７と、阻集器４内の廃水を廃水搬送部材５を介して吸引して脱水機構１７に送る廃水吸引機構６と、阻集器４貯水容量相当分の油脂を分解するだけの量の好気性の微生物を分解処理槽３内に定量供給する微生物供給機構７と、分解処理槽３内の微生物に空気を供給するばっき機構８と、分解処理槽３内の廃水を加熱する加熱機構９と、分解処理槽３から処理後の廃水を処理水搬送部材１０を介して阻集器４に戻す処理水戻し機構１１とを有することである。
【００１２】
これによって、定置場所を必要とせず、１箇所だけでなく、別位置にある阻集器４の油脂含有廃水も１台の装置で、かつ１回のバッチ処理で分解浄化することができる。
【００１３】
【発明の実施の形態】
以下、本発明の実施の形態を図面に基づいて説明する。
図１に示す第１実施形態において、廃水浄化装置１Ａは車輪１３を有していて移動可能な機体２上に、分解処理槽３と、廃水吸引機構６と、微生物供給機構７と、ばっき機構８と、処理水戻し機構１１とを設けて構成されている。
前記分解処理槽３は、金属又はプラスチックの容器で、単板で形成する、単板の外面に断熱材を設ける、又は空気層あるいは断熱材を挟んで二重槽に形成するかしており、その上部の開口が蓋２１によって開閉自在に閉鎖されている。分解処理槽３の貯水容量は、阻集器４の容量よりも大きくても小さくてもよい。
【００１４】
この分解処理槽３の上部外面には、分解処理槽３内を負圧にする真空ポンプ１４が設けられており、この真空ポンプ１４の吸引口１４ａが分解処理槽３に挿入され、または、分解処理槽３の上部に阻集器４内の廃水を吸い上げ可能な廃水搬送部材５が連結されている。
前記廃水搬送部材５及び真空ポンプ１４は廃水吸引機構６を構成しており、廃水搬送部材５は金属パイプでも形成できるが、ホースで形成して、機体２上に巻き取り機構を設けておいて、巻き取り機構から引き出しながらその先端を阻集器４に挿入するようにしておくことが好ましい。
【００１５】
真空ポンプ１４は、分解処理槽３内の上部空間の空気を吸引して負圧にし、その負圧で廃水搬送部材５を介して阻集器４内の廃水を吸引するものであり、吐出パイプ１４ｂから吐出される空気は空気循環手段１６に用いられる。
前記吐出パイプ１４ｂには流量優先弁２２が設けられており、この流量優先弁２２には、ばっき機構８の空気供給管２３と排気管２４とが接続されており、空気供給管２３が優先側で、必要量の空気が分解処理槽３内に供給可能になっており、残余の空気はパイプ又はホースで形成された排気管２４で排水管１５に供給される。
【００１６】
排気管２４には制御弁３１が設けられていて、制御弁３１を開放することにより、空気循環手段１６の空気を取り出して、排水管１５の内部の清掃に用いられると共に、分解処理槽３から発生する悪臭を排水管１５へ排出できるようになっている。
ばっき機構８の空気供給管２３は、分解処理槽３の内底部に屈曲して張り巡らされており、また、多数の枝管を接続して網状に張り巡らされており、分解処理槽３内に供給される好気性の微生物に空気を満遍なく供給する。この供給される空気は微細気泡にすることが好ましい。
【００１７】
微生物に供給後の空気は、微量の微生物を含んだ状態で再び真空ポンプ１４によって吸引され、ばっきに使用されるか又は排気管２４を介して排水管１５に供給される。この排水管１５に供給される空気は微量の微生物を含有することになり、排水管１５内でも多少の油脂分解が行われる。
微生物供給機構７は分解処理槽３の上部外面に装着されたタンク２８内に、液化された好気性の油脂分解微生物を貯留しており、前記タンク２８は上部から微生物を補給可能であり、下部には供給管２５が接続され、この供給管２５は制御弁２６及びエジェクタ手段２７を介して空気供給管２３に接続されている。
【００１８】
前記微生物供給機構７は、制御弁２６を開放することにより空気供給管２３を介して分解処理槽３内に微生物を供給可能であり、また、空気供給管２３内に循環空気が流れているときには、制御弁２６を絞ってエジェクタ手段２７で吸い出しながら噴霧状にして供給することができる。
前記微生物は、例えば特許第７８７０１５号に開示されているような、ブルクホルデリア（Ｂｕｒｋｈｏｌｄｅｒｉａ）属に属し、かつ高温で、好気的に樹脂を資化するブルクホルデリア・セパシア（Ｂｕｒｋｈｏｌｄｅｒｉａ  ｃｅｐａｄｉａ）等の、高濃度の油脂でも迅速に処理ができるものが使用される。
【００１９】
加熱機構９は、分解処理槽３内の廃水を加熱するヒータで構成されており、分解処理槽３内に温度センサ（図示せず）を挿入しておいて、分解処理槽３内の廃水温度を微生物が効率良く活動する温度に設定する。
処理水戻し機構１１は制御弁３０を有してパイプ又はホース等で形成された処理水搬送部材１０で構成され、処理水搬送部材１０は分解処理槽３の底部に接続されており、分解処理後の廃水を阻集器４に戻す。
前記廃水浄化装置１Ａでは、阻集器４内の廃水をバッチ処理、フロー処理のどちらでも行うことができ、分解処理槽３の容量が阻集器４より大きい場合は、１回のバッチ処理で全量の廃水を処理することが好ましく、小さい場合は複数回に分けてバッチ処理を行うか又はフロー処理をする。
【００２０】
前記廃水浄化装置１Ａを使用して飲食店等の阻集を処理する場合、営業終了後に廃水浄化装置１Ａを阻集器４の近傍に移動して設置する。そして、廃水搬送部材５及び処理水搬送部材１０を阻集器４に挿入し、排気管２４を排水管１５に挿入する。
次に、真空ポンプ１４を駆動して分解処理槽３内を負圧にしながら、廃水搬送部材５を介して阻集器４内の廃水を分解処理槽３内に吸引し、その排気を流量優先弁２２を介して空気供給管２３に送り、また、制御弁２６を開いて空気と共に微生物を分解処理槽３内に供給し、加熱機構９で廃水を所要温度まで上昇させる。
【００２１】
なお、タンク２８は分解処理槽３の比較的上位置に配置されているので、真空ポンプ１４を駆動する前に制御弁２６を開放して、微生物をバッチ処理に必要な量の全量、又はバッチ処理もしくはフロー処理に必要な量の一部を、分解処理槽３内に注入しておいてもよい。
真空ポンプ１４の作動によって、ばっき機構８の空気供給管２３で分解処理槽３内の微生物をばっきしながら、また、必要に応じてエジェクタ手段２７を介して微生物を補給しながら、分解処理槽３内で油脂分離を行わせ、また排気管２４を使って排水管１５内を清掃する。
【００２２】
バッチ処理終了後、又はフロー処理の途中から、分解処理槽３内の底部から浄化された水を、制御弁３０を開放して処理水搬送部材１０を介して阻集器４に戻す。
図２は第２実施形態を示しており、この廃水浄化装置１Ｂは、廃水吸引機構６が廃水搬送部材５の先端に水中ポンプ３２を設けて構成されており、分解処理槽３は密閉構造でなくともよく、その代わりに、ばっき機構８及び空気循環手段１６用のブロアー３３を必要としている。
【００２３】
ブロアー３３は分解処理槽３の上部から吸引口１４ａを介して空気を吸引し、供給管２５及び流量優先弁２２を介してばっき機構８の空気供給管２３にばっき用空気を供給し、これによって空気を循環させ、必要に応じて制御弁３１を開放して排気管２４で排水管１５に清掃用空気を供給する。
ばっき機構８の空気供給管２３の複数の分岐管２３ａにはエアーストーン３４が設けられ、加熱機構９も複数のヒータで構成され、微生物供給機構７は制御弁２６を開放することにより、微生物をタンク２８から自重で分解処理槽３内に供給する構造となっている。
【００２４】
なお、この第２実施形態でも、ブロアー３３を使って微生物をエジェクタ手段を介してばっき空気と共に供給することは可能である。
図３は第３実施形態を示しており、この廃水浄化装置１Ｃは、分解処理槽３の外側上部に脱水機構１７が設けられ、微生物供給機構７にはタンク２８の他に予備タンク３７が備えられている。
真空ポンプ１４は分解処理槽３の外側面に装着されており、２本の吸引管３８，３９が接続されていて、吸引管３８は脱水機構１７に、吸引管３９はタンク２８にそれぞれ接続されており、真空ポンプ１４の排気供給は吐出パイプ１４ｂ及び流量優先弁２２を介して空気供給管２３に優先的に供給されると共に、排気管２４を介して排水管１５に供給可能となっている。
【００２５】
空気供給管２３に設けたエジェクタ手段２７には、予備タンク３７内から微生物を取り出す供給管２５ａが接続されており、タンク２８からの供給とは別経路で微生物を供給可能になっている。
前記脱水機構１７は遠心脱水式脱水機を有し、容器４０内にモータ４１で駆動される脱水かご４２が設けられており、容器４０は蓋４３により密閉可能になっている。
脱水機構１７は、その上部に接続した吸引管３８で容器４０内を負圧にすることにより、廃水搬送部材５を介して阻集器４から廃水を吸引して脱水かご４２に供給し、脱水かご４２を高速回転させて、残飯、野菜屑等の固形物から水分を分離させ、その水分を分解処理槽３内に流入させるようになっている。前記固形物は蓋４３を開放することにより取り出される。
【００２６】
微生物供給機構７は、タンク２８と予備タンク３７とを連通管４４で連通しており、タンク２８は吸引管３９が接続されていて、その内上部を負圧にすることにより、連通管４４を介して予備タンク３７から微生物を吸引して、一定量貯留可能になっている。
前記タンク２８の微生物貯留量は、例えば、バッチ処理１回分に設定しておいて、制御弁２６を開放して供給管２５から微生物を自重で分解処理槽３内に供給し、微生物量が不足の場合には、供給管２５ａからばっき空気と共に追加供給する。
【００２７】
図３中、符号４６、４７、４８は、制御弁２６、３０、３１等と同様な開閉用の制御弁であり、これらの制御弁は、手動操作で開閉してもよいが、電気的に開閉するようにしてもよい。また、脱水機構１７は重力式でもよく、分解処理槽３の内上部に収納するものでもよい。
なお、本発明は前記実施の形態に限定されるものではなく、種々変形することができる。例えば、３つの実施形態の構成部分を適宜組み合わせたり、真空ポンプ１４、タンク２８等を機体２に直接搭載したりしてもよい。また、機体２はフォークリフト等で運搬して設置位置を変更するようにしてもい。
【００２８】
【発明の効果】
以上詳述した本発明によれば、定置場所を必要とせず、１箇所だけでなく、別位置にある阻集器の油脂含有廃水も１台の装置で分解浄化することができ、安価でかつ汎用利用ができる。
【図面の簡単な説明】
【図１】  本発明の第１の実施の形態を示す断面説明図である。
【図２】  第２の実施の形態を示す断面説明図である。
【図３】  第３の実施の形態を示す断面説明図である。
【符号の説明】
１      廃水浄化装置
２      機体
３      分解処理槽
４      阻集器
５      廃水搬送部材
６      廃水吸引機構
７      微生物供給機構
８      ばっき機構
９      加熱機構
１０    処理水搬送部材
１１    処理水戻し機構
１３    車輪
１４    真空ポンプ
１５    排水管
１６    空気循環手段
１７    脱水機構
【図１】
0004267753.tif 000002
【図２】
0004267753.tif 000003
【図３】
0004267753.tif 000004